【事件の表示】
　平成　６年特許願第　９０３６６号「画像印刷装置」拒絶査定不服審判事件〔平成　７年１１月１０日出願公開、特開平　７−２９８１２３、請求項の数（５）〕について、次のとおり審決する。
【結　論】
　原査定を取り消す。
　本願の発明は、特許すべきものとする。
【理　由】
１．手続きの経緯、本願発明
　本願は、平成６年４月２７の出願であって、その請求項１ないし５に係る発明は、平成１５年１月２４日付け及び平成１６年２月１６日付け手続補正書により補正された明細書及び図面の記載からみて、その特許請求の範囲の請求項１ないし５に記載された次のとおりのものである。
「【請求項１】　
　被撮影者の顔部の画像を受像し第１の画像データを作成するビデオカメラと、
　人物画および背景画を含むとともに前記人物画の少なくとも１つは顔部が枠で構成される画像を第２の画像データとして記憶する記憶手段と、
　前記第２の画像データの枠内のデータを前記第１の画像データに置き換えることにより第３の画像データを作成する制御手段と、
　前記第３の画像データが示す画像を印刷するプリンタと、前記第３の画像データが示す画像を逐次表示する表示手段と、
　前記被撮影者が前記背景画に対応した色および光度の調整を行うことができる照明調整手段と、
　を具備することを特徴とする画像印刷装置。
　【請求項２】 
　前記ビデオカメラと前記被撮影者の間に設置され、前記ビデオカメラの受像には影響を与えずに前記表示手段の表示結果を前記被撮影者が見えるように反射するハーフミラーをさらに具備することを特徴とする請求項１記載の画像印刷装置。
　【請求項３】 
　前記ビデオカメラの位置をかえる位置移動手段と、前記位置移動手段への移動指示を入力するとともに、前記ビデオカメラの受像サイズを変化させるズーム指示を入力する操作手段とをさらに具備することを特徴とする請求項１または２記載の画像印刷装置。
　【請求項４】 
　前記記憶手段には、複数種類の第２の画像データが記憶されており、前記第２の画像データのうちの１つを選択する選択手段をさらに具備することを特徴とする請求項１、２または３記載の画像印刷装置。
　【請求項５】 
　全構成要素を収容する移動可能なボックスをさらに具備し、前記ボックス内で撮影および印刷が行われることを特徴とする請求項１、２、３または４記載の画像印刷装置。」
　
２．引用例
（１）これに対して、原査定の拒絶理由で引用された実願平４−６２４９２号（実開平６−１５３８２号）のＣＤ−ＲＯＭ（以下「引用例１」という。）には、「ポートレートカード作成装置」（考案の名称）に関し、図面と共に次に掲げる事項ア、イが記載されている。
　　ア　「１１は撮影ブース１５内を照明する撮影のための光源である。」（明細書６頁２７行）
　　イ　「このポートレートカード作成装置の操作を第１実施例を図２の操作手順に基づいて説明する。
　ポートレートカード作成装置（撮影ブース１５）内の撮影装置の前に被写体１が入り、撮影機２の撮影範囲内に設置された椅子に座る。次いで、撮影装置のモニタ部４を視認しながら、撮影装置のＵＰスイッチ８ａまたはＤＯＷＮスイッチ８ｂを被撮影者は操作して、撮影範囲を決定し、この被写体１の撮影範囲をハーフミラー１３やモニタ部４にて確認して撮影する（工程Ａ）。この撮影された被写体１の画像をモニタ部４に映し出し（工程Ｂ）、モニタ部４を見ながらモニタ部４の枠内に被写体１の顔部を組み込み枠を被写体１の枠取りにして決定する。例えば、選択操作杆７を操作してモニタ部４の被写体１の顔の枠取りを行う。枠の位置をずらし、画像の大きさを変換して縮小程度などを画像処理手段５によって決定する（工程Ｃ）。もし一度決めた枠組みを訂正するときは取消スイッチ９ｂによって先の枠組みを組み直し、再び、被写体１の撮影範囲を調整する。モニタ部４の画像を決定すると、決定スイッチ９ａによって画像を決定して画像処理手段５に記憶する。次に、電子面像ファイルから複数の画像をモニタ部４に表示する（工程Ｄ）。例えば、キャラクタの種々の姿態を選択した画像を表示する。この複数の画像はキャラクタ製品のキャラクタ等の姿態の異なる画像を複数配列したもので（黒部分はキャラクタの置換可能な部分）、この中から所定画像を選択操作杆７の操作で選択し、モニタ部４の種々のキャラクタの姿態の顔に被写体１の画像の枠組が決定している顔部を置換えて合成した映像を表示する（白部分は被写体に置換した部分）（工程Ｅ）。次に、これらの画像に帽子や鬘を付着させたり、耳飾りをつけたりの化粧を施す（工程Ｆ）。この合成画像を全て印刷機１０によりプリントする。」（公報段落【０００７】）
　　
（２）同じく引用された特開昭６２−１６１３０８号公報（以下「引用例２」という。）には、「ヘアスタイル・シュミレーション・システム」（発明の名称）に関し、図面と共に次に掲げる事項アないしエが記載されている。
　　ア　「［発明の概要］
　本発明は前述の目的を達成するために、施術を受ける人の顔をビデオカメラで撮影してこれをモニタテレビの画面に映し出し、予じめヘアスタイル、風景等が録画されているビデオディスク、フロッピーディスクをそれ等の再生装置で再生し、マウスの操作で顔面の位置、大きさ等とヘアスタイルとを一致させ、コントロールユニットによる各機器のコントロールと相まって、モニタテレビの画面で合成し、この合成画面をフロッピーディスクに記録し、或いはビデオプリンタで印刷するようにしたことを要旨とするものである。」（公報２頁左上欄７行〜１８行）
　　イ　「第１図において、１は映像を画面に映し出すモニタテレビ、２は施術者の顔面を撮影するビデオカメラ、３はこの撮影の際に使用する照明用のビデオライトで、最適な顔面の映像が得られるような照明をビデオライト３の操作により行い、これをビデオカメラ２で撮影して、モニタテレビ１の画面に映す。」（公報２頁右上欄２行〜８行）
　　ウ　「第３図において、上段左から右に、顔撮影モード、髪形合成モード、背景選択モード、中段では自動着色モード、着色モード、バリエーション、下段では中から多画面表示／一時記憶、外部記憶の各モードを表わしている。
　この中で、顔撮影モードがマウス７で選択されると、第５図Ａの画面の点部分（第４図の顔面１以下画面１という）に同図Ａ１のアイコンが表示される。
　この時、このアイコンの何れかを措定することで、同図Ａの右側の部分（第４図の画面３、以下画面３という）にビデオカメラ２の映像が映し出され、且つ指定したアイコンに従つて、画面１のアイコンは、同図Ｂ１，Ｃ１のアイコンに変化する。
　次に、マウス７による前記のアイコンの指定によって、画面３の映像はストップモーションとなって同図Ａの左側上の部分（第４図の画面２、以下画面２という）に映し出され、且つ指定したアイコンによる映像に変化して画面３に映し出され同図Ｂ，Ｃとなる。
　この時、画面１のＥＮＤを指定することによつて、画面２，３の映像は、コントロールユニット６内のＲＡＭに記憶されると共に、画面は第３図のメインアイコンに戻る。」（公報２頁右下欄１４行〜４頁左上欄１８行）
　　エ　「そして、次に髪形合成モードをメインアイコンの中から選択する。
すると、画面は第６図のＤに示すように、画面１には同図Ｄ１のアイコンが、画面２，３には第５図のＣ１，Ｃの映像が映し出される。
　この髪形合成モードは、ＳＴＹＬＥ誘導方式、ＬＥＮＧＴＨ誘導方式、髪形をスキャンして選択する方式があり、Ｄｌのアイコンにおいて、ＳＴＹＬＥ、ＬＥＮＧＴＨ，ＳＣＡＮと表示され、マウス７によつて、何れかが選択される。
　この内、ＳＴＹＬＥが選択された場合には、画面１は、同図Ｅ１のアイコンに変化し、画面２の映像は変らず、画面３にはＣＵＴ、ＰＡＲＴＩＡＬ　ＰＥＲＭ（Ｐ　ＰＥＲＭと表示される）及びＰＥＲＭの文字と髪形が表示される。
　そして、画面全体は縦横に１６分割されて、横方向にはＯＮＥＬＥＮＧＴＨ、ＧＲＡＤ　ＡＴＩＯＮ、ＨＡＬＦ　ＬＡＹＥＲ、ＬＡＹＥＲの順で縦方向にはＬＯＮＧ、ＳＥＭＩ　ＬＯＮＧ、ＭＥＤＩＡＭ、ＳＨＯＲＴの順で並んだ髪形選択画面が同図Ｆのように変化する。
　この髪形の中から、いずれか１をマウス７で選択すると、画面は同図Ｇ１のように選択された髪形の数種類と、画面１に同図Ｇ１１をアイコンを表示する。
　この数種類の髪形の中から１つをマウス７で選択すると、画面は同図Ｇ２のように画面１に同図Ｇ２１のアイコンを、画面２には施術者の静止顔面を、画面３にはこの顔面と選択された髪形との合成映像を映し出す。」（公報３頁左上欄１９行〜同頁左下欄８行）
　
（３）同じく引用された特開平５−３３６４２１号公報（以下「引用例３」という。）には、「スチルビデオカメラ」（発明の名称）に関し、図面と共に次に掲げる事項が記載されている。
　「図４において、主被写体像２０と背景用画像２１を合成回路１０に入力すると、主被写体像２０に背景画像用２１が合成された合成画像２が出力される。」（公報段落【０００７】）
　
（４）同じく引用された特開平５−２３２９７８号公報（以下「引用例４」という。）には、「映像信号処理装置」（発明の名称）に関し、図面と共に次に掲げる事項が記載されている。
　「光ディスク等の再生手段から再生された映像に、ビデオカメラからの映像を適切な位置と大きさで再生曲の進行に応じて挿入することができる。又合成情報メモリに挿入画像の位置，大きさ，挿入タイミング等の合成情報を記憶させることにより、同じ再生曲に対して歌い手の好みに応じて異なった画像の合成を行えるという効果が得られる。」（公報段落【００２２】）
　
（５）同じく引用された特開平５−３３６４４５号公報（以下「引用例５」という。）には、「画像処理方法」（発明の名称）に関し、図面と共に次に掲げる事項ア、イが記載されている。
　　ア　「【請求項１】利用者の容姿画像を記憶装置に登録し、通信販売用カタログを格納した電子メディアからのカタログ情報の再生時に、カタログ中のモデルの画像を前記登録された利用者の容姿情報に置き換えて表示装置に表示することを特徴とする画像処理方法。」（特許請求の範囲第１項）
　　イ　「【００２５】カタログ再生装置（テレビ本体９００）に備えられたテレビカメラ２０５を通じて、利用客（顧客）２００は自分の顔、あるいは全身を撮影して、容姿登録メモリ２１０に登録しておくことができる。登録は、テレビ本体９０５の前に立ち、リモコンユニット９２５に装備された容姿登録ボタンを押すことによって行う。
【００２６】カタログ情報の通常の再生では、予め記録されたモデルの情報２１５をテレビ画面９０５に表示している。一方、リモコンユニットに装備された容姿変更ボタンを押すと、利用者２００の容姿が容姿登録メモリ２１０に登録される。その後、画像反転処理２３５により、容姿登録メモリ２１０の内容は、その左右について、ｆ（ｘ，ｙ）＝ｆ（Ｘ−ｘ，ｙ）の変換を受ける。この左右反転された容姿とカタログ情報２１５とが、画像合成処理２３０により合成され、合成画像２２５として見ることができる。
【００２７】また、図１０に示すように、画像合成の際に、画像検索処理１００５が、利用者画像１０００の姿勢、サイズを抽出して、種々の姿勢、サイズで登録されているカタログ情報１０１０の中から、最も利用者画像１０００に近いものをカタログ（モデル）２１５として選択する。
【００２８】また、利用者の容姿の登録は、利用者の姿勢の変化に応じて連続的に行なわれ、それに合わせて、カタログ情報の画像選択処理２３０、画像合成処理合成１００５の連続的に行われる。したがって、利用者２００から見ると、まるでテレビの画面が、百貨店のフィッティングルームの鏡のようであり、商品（服）を着替えなくても、色々の服を着て、色々の姿勢（ポーズ）を取って見ることができる。」（公報段落【００２５】〜【００２８】）
　
（６）同じく引用された特開昭６２−２６９１２８号公報（以下「引用例６」という。）には、「撮像装置付き画像表示装置」（発明の名称）に関し、図面と共に次に掲げる事項が記載されている。
　「（１）人物等の被写体を撮像する撮像手段と、画像を表示する表示手段と、被写体側の光を、撮像手段方向と表示手段方向とに分離する半透過式鏡とから成ることを特徴とする撮像装置付画像表示装置。」（特許請求の範囲第１項）
　
（７）同じく引用された実願平２−５２５６２号（実開平４−１２７７５号）のマイクロフィルム（以下「引用例７」という。）には、「ビデオ装置及びビデオ撮影用スタジオボックス」（考案の名称）に関し、図面と共に次に掲げる事項が記載されている。
　「金銭投入機への金銭の投入により一定時間撮影できるビデオ装置を提供すると共にスピード写真用のスタジオボックスのように手軽に利用できる、ビデオ撮影用スタジオボックスを提供することを課題とする。」（明細書４頁１１行〜１５行）
　
（８）同じく引用された実願平３−８０７６０号（実開平５−２５８８４号）のＣＤ−ＲＯＭ（以下「引用例８」という。）には、「ビデオ撮影用ボックス」（考案の名称）に関し、図面と共に次に掲げる事項が記載されている。
　「内部に撮影者の正面に一定間隔を置いてビデオカメラを設置すると共に、撮影者の手に届く範囲内に操作パネルを設け、また照明装置、モニターテレビを配置し、更に出来上がりのビデオテープの取り出し口を設けたことを特徴とするビデオ撮影用ボックス。」（実用新案登録請求の範囲第１項）
　
（９）原査定で周知例として引用された実願平２−７８８４０号（実開平４−３６３７７号）のマイクロフィルム（以下「引用例９」という。）には、「映像装置」（考案の名称）に関し、図面と共に次に掲げる事項アないしウが記載されている。
　　ア　「被写体像を他の画像と合成して表示する映像装置に関する。」（明細書１頁１９行、２０行）
　　イ　「次に試着者１を撮影する際には、まずキーボード１９を操作して、照明装置７が調節するランプ５ａ，５ｂの照度及び光質の指定をする。すると制御回路３０は、その指定内容に応じて照明装置７を駆動し、ランプ５ａ，５ｂの照度及び光質を設定する。」（明細書７頁１６〜８頁１行）
　　ウ　「本実施例の映像装置によれば、試着者１が衣服を試着したときの姿を撮影画像情報として画像メモリ１１に記憶しておき、後で任意の背景画像情報と合成してモニタテレビ１７に表示させることができるで、試着者１は、試着した衣服が似合うか否か、或は着て行く場所にマッチしているか否かを、客観的に判断することが可能となる。」（明細書１２頁１３〜２０行）
　
３．当審の判断
［請求項１に係る発明について］
　本願の請求項１に係る発明（以下本願第１発明という）と上記引用例１ないし引用例９の記載事項とを対比する。
（１）引用例１には、撮影された被写体１の画像をモニタ部４に映し出し、モニタ部４を見ながらモニタ部４の枠内に被写体１の顔部を組み込み、被写体の枠取りを行い記憶し、次に、電子画像ファイルから複数の姿態の異なる画像を配列した画像（黒部分はキャラクタの置換可能な部分）をモニタ部４に表示し、この中から所定画像を選択し、モニタ部４の種々のキャラクタの姿態の顔に被写体１の画像の枠組が決定している顔部を置換えて合成した映像を表示し（白部分は被写体に置換した部分）、この合成画像を印刷機１０によりプリントすることが記載されており（引用例１の上記イ、図１、図２の記載参照）、また、撮影ブース１５内を照明する撮影のための光源１１を有することも記載されている（引用例１の上記アの記載参照）。
　これらの記載によれば、引用例１に記載の発明も、電子画像ファイルからの姿態画像（本願第１発明の「人物画」に相当）の顔部に対応する黒部分（本願第１発明の「枠」に相当）を、撮影された被写体の顔部の画像（本願第１発明の「第１の画像データ」に相当）に置換えて合成した映像（本願第１発明の「第３の画像データ」に相当）を表示し、プリントする画像印刷装置であるといえるから、
　本願第１発明と引用例１記載の発明は、実質的に、
 「被撮影者の顔部の画像を受像し第１の画像データを作成するビデオカメラと、人物画の顔部が枠で構成される画像を第２の画像データとして記憶する記憶手段と、前記第２の画像データの枠内のデータを前記第１の画像データに置き換えることにより第３の画像データを作成する制御手段と、前記第３の画像データが示す画像を印刷するプリンタと、前記第３の画像データが示す画像を表示する表示手段と照明手段を具備する」点で一致している。
　しかしながら、引用例１に記載の発明は、最初の工程で、被写体を撮影し、その撮影された被写体の顔部を枠取りし、その枠取りを行った画像を記憶し、次の工程で、電子画像ファイルからの画像の顔部に対応する黒部分に、被写体の顔部の枠取りを行って記憶された画像を置換えて合成画像を作成し表示するものであり、そのように作成された合成画像の顔部には、最初の工程で撮影された被写体の顔部の記憶された画像、いわゆる静止画像が表示されるだけであり、本願第１発明のように、ビデオカメラで受像した被撮影者の顔部の画像が直ちに背景画における人物画の顔部（枠）に置き換えられてリアルタイムで「逐次」表示されるものとはいえず、それによって、被撮影者が自分の顔部に対する照明の状態を、背景画に対応した色および光度に調整できることを予定するものでもない。
　すなわち、引用例１に記載の発明には、本願第１発明の構成である、第３の画像データが示す画像を「逐次」表示する表示手段と、「前記被撮影者が前記背景画に対応した色および光度の調整を行うことができる照明調整手段」との構成（以下「構成Ａ」という。）については何ら記載がなく、示唆もない。
　
（２）引用例２には、施術を受ける人の顔をビデオカメラで撮影してこれをモニタテレビの画面に映し出し、予めヘアスタイル、風景等が録画されている再生装置で再生し、顔面の位置、大きさ等とヘアスタイルとを一致させ、モニタテレビの画面で合成し、この合成画面を印刷すること（引用例２の上記アの記載参照）、また、撮影の際に使用する照明用のビデオライトで、最適な顔面の映像が得られるような照明をビデオライト３の操作により行うこと（引用例２の上記イの記載参照）も、それぞれ記載されており、本願第１発明とは一部類似しているといえる。
　しかしながら、上記モニタテレビの画面に映し出された人の顔は、予め顔撮影モードにおいて、ビデオカメラで撮影した映像をストップモーションとしてＲＡＭに記憶されたものであり（引用例２の上記ウの記載参照）、次に、髪形合成モードを選択すると、予め顔撮影モードで記憶した静止顔面と選択された髪型との合成画像を映し出すものであり（引用例２の上記エの記載参照）、本願第１発明のように、合成画面には、ビデオカメラで撮影した顔面が直ちにリアルタイムで「逐次」表示されるものとはいえず、それによって、被撮影者が自分の顔部に対する照明の状態を、背景画に対応した色および光度に調整できることを予定するものでもない。すなわち本願第１発明の主要な事項である上記「構成Ａ」については何ら記載がなく、示唆もない。
　
（３）引用例３には、主被写体像２０と背景用画像２１とを合成し合成画像２２を出力すること（引用例３の上記記載参照）、また、引用例４には、光ディスク等の再生手段から再生された映像に、ビデオカメラからの映像を適切な位置と大きさで再生曲の進行に応じて挿入することができること（引用例４の上記記載参照）は、それぞれ記載されているが、それらには主被写体像と背景用画像とを合成することは示されているものの、本願第１発明の主要な事項である上記「構成Ａ」については何ら記載がなく、示唆もない。
　
（４）引用例５には、利用者の容姿画像を記憶装置に登録し、通信販売用カタログを格納した電子メディアからのカタログ情報の再生時に、カタログ中のモデルの画像を前記登録された利用者の容姿情報に置き換えて表示することが記載されており（引用例５の上記のア記載参照）、また、カタログ再生装置（テレビ本体９００）に備えられたテレビカメラ２０５を通じて、利用客（顧客）２００は自分の顔、あるいは全身を撮影して、容姿登録メモリ２１０に登録しておくことができ、その登録された容姿とカタログ情報とを合成して合成画像としてみることは記載されているが（引用例５の上記イの記載参照）、そのような合成画像の自分の顔はメモリに登録された静止画像といえ、本願第１発明のように、ビデオカメラで撮影した顔の画像を直ちにリアルタイムで「逐次」表示するものとはいえず、それによって、被撮影者が自分の顔部に対する照明の状態を、背景画に対応した色および光度に調整できることを予定するものでもない。すなわち本願第１発明の主要な事項である上記「構成Ａ」については何ら記載がなく、示唆もない。
　
（５）引用例６には、被写体側の光を、撮像手段方向と表示手段方向とに分離する半透過式鏡、いわゆるハーフミラーが記載されており（引用例６の上記記載参照）、また、引用例７、８には、ビデオ撮影用スタジオボックスは記載されている（引用例７、８の上記記載参照）ものの、本願第１発明の主要な事項である上記「構成Ａ」については何ら記載がなく、示唆もない。
　
（６）引用例９には、被写体像を他の画像と合成して表示する映像装置に関し（引用例９の上記アの記載参照）、試着者１が衣服を試着したときの姿を撮影画像情報として画像メモリ１１に記憶しておき、後で任意の背景画像情報と合成してモニタテレビ１７に表示させること（引用例９の上記ウの記載参照）、また、試着者１を撮影する際には、まずキーボード１９を操作して、照明装置７が調節するランプ５ａ，５ｂの照度及び光質の指定すること（引用例９の上記イの記載参照）は、それぞれ記載されているものの、その試着者１が衣服を試着したときの撮影画像情報は画像メモリ１１に記憶した静止画像といえ、後で任意の背景画像情報と合成してモニタテレビで表示するものであり、本願第１発明のように、背景画像情報と合成される撮影画像情報は直ちにリアルタイムで「逐次」表示するものとはいえず、それによって、被撮影者が自分の顔部に対する照明の状態を、背景画に対応した色および光度に調整できることを予定するものでもない。すなわち、本願第１発明の主要な事項である上記「構成Ａ」については何ら記載がなく、示唆もない。
　
（７）以上のように、上記各引用例のいずれにも本願第１発明の上記「構成Ａ」について記載がなく、示唆もないのであるから、上記各引用例を組み合わせても、本願第１発明が容易に想到し得るとはいえない。
　
（８）そして、本願第１発明は、上記「構成Ａ」を採用することにより、「通常点灯している室内照明（図１参照）が消され、照明装置８が点灯する。被撮影者は選択した背景画に対応して、この照明装置の色、光度を調整することができる。」（明細書の段落【００３６】の記載）等の明細書記載の顕著な効果を奏するものと認められる。
　よって、本願の請求項１に係る発明は、上記各引用例に記載の発明から容易に想到し得たものとすることはできない。
　
［請求項２ないし５に係る発明について］
　本願の請求項２ないし５に係る発明は、請求項１を引用し、さらに限定事項を付加したものであるから、上記請求項１で検討したことと同様の理由により、上記各引用例に記載の発明から容易に想到し得たものとすることはできない。
　
４．むすび
　以上のとおりであるから、本願の請求項１ないし５に係る各発明が特許法第２９条第２項の規定により特許を受けることができないものであるとする原査定の理由によっては本願を拒絶することはできない。
　また、他に本願を拒絶すべき理由を発見しない。
　よって、結論のとおり審決する。